(57)【特許請求の範囲】
【請求項１】
支持軸を中心に機器本体より上下方向に開閉可能な開閉カバーと、前記支持軸とは反対側に位置し、前記開閉カバーの端部に設けられた切欠きを有するラッチと、前記開閉カバーの半開位置から閉位置への進行にともない、前記ラッチを案内する斜面部を有し、この斜面部の途中に窪み部と突出部とが順次形成され、前記窪み部にて前記ラッチの移動を抑制する第１のストッパーと、この第１のストッパーを経由して移動した前記ラッチの前記切欠きに引っ掛って前記開閉カバーを閉位置で保持する第２のストッパーとを具備する電気機器。
【発明の詳細な説明】
【０００１】
【発明の属する技術分野】
本発明は、開閉カバー機構および電気機器に関する。
【０００２】
【従来の技術】
従来から、ファクシミリや複写機などの電気機器において、部品の補給や点検やメンテナンスなどが比較的多く要求される位置には、簡単に開閉ができるようなカバーが設けられている。例えば、ファクシミリのカバーは、ペーパージャムを解消したり記録紙を交換するために、機器本体に対して開閉自在に取り付けられている。
【０００３】
図１２は、従来のカバーの開閉機構を用いた電気機器の断面図である。電気機器１２０１には、カバー１２０２が設けられている。カバー１２０２は支持軸１２０３を軸に先端部が上下に回動可能になされている。原稿台１２０４に載置された原稿は、矢印Ｂの方向に動き、給紙口１２０５より電気機器１２０１の内部に送り込まれる。この原稿は原稿給紙ローラ１２０６により、電気機器１２０１内部の原稿走行部１２０７に送り込まれ、さらに原稿搬送ローラ１２０８および原稿排出ローラ１２０９により原稿走行部１２０７を動かされ、電気機器１２０１より排出される。
【０００４】
原稿走行部１２０７を走行する原稿がペーパージャムを起こすことがあるが、このような場合でも、ユーザーはカバー１２０２を開けることにより、ペーパージャムを起こした原稿を取り除くことができるようになされている。
【０００５】
【発明が解決しようとする課題】
しかし、このようにカバーが大きく開けられる構造になっている電気機器では、カバーを大きく開けられてから、閉じられるまでにある程度の距離がある。このため、カバーをゆっくり閉めたとしても、閉じられるまでの間にカバーの閉まる速度に加速度がついて、カバーが勢いよく閉じられていた。このような場合に、カバーが電気機器に接する際に生じる衝撃で、大きな音が発生したり、電気機器に不都合が生じる可能性があった。また、ユーザーが手などを挟んでしまう可能性もあった。
【０００６】
本発明は、かかる点に鑑みてなされたものであり、カバーが段階的に閉じられるようにすることにより、カバーが閉じられた際に、大きな衝撃が生じることを防止した開閉カバー機構および電気機器を提供することを目的とする。
【０００７】
【課題を解決するための手段】
本発明は、支持軸を中心に機器本体より上下方向に開閉可能な開閉カバーと、前記支持軸とは反対側に位置し、前記開閉カバーの端部に設けられた切欠きを有するラッチと、前記開閉カバーの半開位置から閉位置への進行にともない、前記ラッチを案内する斜面部を有し、この斜面部の途中に窪み部と突出部とが順次形成され、前記窪み部にて前記ラッチの移動を抑制する第１のストッパーと、この第１のストッパーを経由して移動した前記ラッチの前記切欠きに引っ掛って前記開閉カバーを閉位置で保持する第２のストッパーとを具備したものである。
【０００８】
このため、開閉カバーのラッチを第１のストッパーに引っ掛けることによりカバーを途中まで閉った状態のまま保持でき、ユーザ等は開閉カバーを手を押えなくても電気機器内部の点検等を安全に行うことができると共に、カバーの閉動作の途上において、第１のストッパーにラッチが引っ掛ることで、カバーの閉動作が一旦減速されるため、開閉カバーは段階的に閉じられるようになる。よって、カバーが閉じられる際に、大きな衝撃が生じることを防止できる。
【０００９】
【発明の実施の形態】
本発明の第１の態様にかかる電気機器は、支持軸を中心に機器本体より上下方向に開閉可能な開閉カバーと、前記支持軸とは反対側に位置し、前記開閉カバーの端部に設けられた切欠きを有するラッチと、前記開閉カバーの半開位置から閉位置への進行にともない、前記ラッチを案内する斜面部を有し、この斜面部の途中に窪み部と突出部とが順次形成され、前記窪み部にて前記ラッチの移動を抑制する第１のストッパーと、この第１のストッパーを経由して移動した前記ラッチの前記切欠きに引っ掛って前記開閉カバーを閉位置で保持する第２のストッパーとを具備したものである。
【００１０】
このように構成することにより、開閉カバーのラッチを第１のストッパーに引っ掛けることによりカバーが途中まで閉った状態のまま保持でき、ユーザ等はカバーを手を押えなくても電気機器内部の点検等を安全に行うことができる。また、カバーを最後までいっき閉める場合には、その閉動作の途上において、ラッチが第１のストッパーに引っ掛ることでカバーの閉動作が一旦規制されるため、カバーは段階的に閉じられるようになり、カバーが勢いよく閉じられることが防止される。
【００２１】
以下、本発明の実施の形態について、図面を参照して詳細に説明する。
【００２２】
図１は、本実施の形態の電気機器の断面図である。この図を使用して、本実施の形態の電気機器の構成について説明する。
【００２３】
電気機器１０１の上面部にはカバー１０２が設けられており、カバー１０２は、支持軸１０３を軸に先端が上下に回動可能に形成されている。カバー１０２の上面部には、操作部と、操作内容などを表示する表示部とが設けられている。
【００２４】
電気機器１０１の後方部上面には、原稿を載置するための原稿台１０４が設けられている。原稿台１０４には、載置された原稿を整えるための原稿セットガイド部１０５が設けられているため、原稿は真っ直ぐに電気機器１０１の内部に送り込まれる。また、原稿台１０４の後方には、原稿のサイズが大きい場合などに、原稿台１０４の補助的役割をする原稿トレイ１０６が設けられている。
【００２５】
原稿台１０４に載置された原稿は矢印Ａの方向に動かされ、給紙口１０７より電気機器１０１の内部に送り込まれる。内部に入った原稿は、原稿給紙ローラ１０８により、電気機器内部の原稿が走行するために設けられた原稿走行部１０９に送られ、さらに、原稿搬送ローラ１１０により、原稿走行部１０９に設けられたガラス部材１１１の上に送られる。また、原稿搬送ローラ１１０の対向する位置には原稿搬送補助ローラ１１２が設けられているため、原稿はスムーズに送られる。
【００２６】
ガラス部材１１１の下方の近接する位置には、光線を発するＬＥＤ１１３が設けられており、ＬＥＤ１１３により、ガラス部材１１１上に載置された原稿の下面に光線が当てられる。この光線は原稿の下面で反射する。この反射した光線１１４は、ガラス部材１１１の下方に設けられた第１のミラー１１５に到達し、第１のミラー１１５で反射する。第１のミラー１１５で反射した光線１１６は、第２のミラー１１７に到達し、第２のミラー１１７で反射する。反射した光線１１８は、第３のミラー１１９に到達し、第３のミラー１１９で反射する。第３のミラー１１９で反射した光線１２０は、レンズ１２１によって光線の広がりを絞られ、光電変換ユニット１２２に到達し、光電変換ユニット１２２で光電変換される。これによって、光強度に応じた電気信号が出力される。
【００２７】
ガラス部材１１１の上に送られた原稿は、原稿排出ローラ１２３により電気機器１０１の外部に排出される。また、原稿排出ローラ１２３に対向する位置には原稿排出補助ローラ１２４が設けられており、原稿はスムーズに排出される。
【００２８】
カバー１０２の先端部近傍下方には、カバー１０２を電気機器１０１に係止するためのラッチ１２５が設けられている。ラッチ１２５は、図示されない付勢手段により、支持軸１２６を軸に動くようになされている。カバー１０２のラッチ１２５が近接する位置に設けられた突起部１２７にラッチ１２５に設けられた突起部１２８が接触することにより、ラッチ１２５の動く範囲は規制されている。
【００２９】
カバー１０２が閉じられる途上において、電気機器１０１のラッチ１２５が沿って進む経路の途中には、ラッチ１２５が引っ掛ることによりカバー１０２を閉じられる前の状態で保持するように形成された第１のラッチストッパー１２９と、ラッチ１２５が引っ掛ることによりカバー１０２を閉じられた状態に保持する第２のラッチストッパー１３０とが設けられている。また、第１のラッチストッパー１２９と第２のラッチストッパー１３０は結合している。
【００３０】
図２（ａ）は上記実施の形態にかかるラッチの拡大断面図である。この図を使用して上記実施の形態のラッチの形状を詳細に説明をする。
【００３１】
図からも明らかなように、ラッチ１２５は、丸い形状をしたラッチ先端部２０１が設けられ、ラッチ先端部２０１に連なる部分にはラッチ１２５の幅が広がるような傾斜をもつラッチ側面部２０２が設けられている。また、ラッチ側面部２０２の上部には切欠き２０３が施されている。
【００３２】
図２（ｂ）は上記実施の形態の第１のラッチストッパーと第２のラッチストッパーとの拡大断面図である。この図を使用して、上記実施の形態の第１のラッチストッパーおよび第２のラッチストッパーの詳細な説明をする。
【００３３】
第１のラッチストッパー１２９の最上部には、なだらかな傾斜をもった斜面部２０４が設けられ、斜面部２０４に連なる位置には、窪み２０５が設けられている。窪み２０５の窪み形状は、斜面部２０４と窪み２０５に連なる突出部２０６との間において所定角度をもって窪んだ形状に形成されている。ここでの所定角度は、ラッチ１２５の進行経路に対して、ラッチ１２５の進行経路を塞ぐ方向にラッチ１２５の進行方向を変える向きに形成されている。窪み２０５に連なる位置には突出部２０６が設けられており、突出部２０６に連なる位置で、かつ第２のラッチストッパー１３０に連なる位置には斜面部２０７が設けられている。この斜面部２０７は、斜面部２０４と比較して急な傾斜を構成している。
【００３４】
第２のラッチストッパー１３０の斜面部２０７に連なる位置には、斜面部２０７よりなだらかな傾斜の斜面部２０８が設けられており、斜面部２０８が連なる位置には突出部２０９が設けられている。突出部２０９は、ラッチ１２５に施された切欠き２０３に適合する形状になされている。
【００３５】
図３は、上記実施の形態の電気機器の要部斜視図である。この図は、上記実施の形態のラッチにより上記実施の形態のカバーが閉じられる前の状態で保持された状態を示した図である。
【００３６】
この図からわかるように、ラッチ１２５は、カバー１０２の先端部近傍の下部に左右に一対で設けられている。また、カバー１０２が閉動作の途上において、ラッチ１２５が接触する部分には、それぞれ一対の第１のラッチストッパー１２９と、第２のラッチストッパー１３０とが設けられている。このように、それぞれが一対で設けられているために、カバー１０２の動きが規制される際、カバー１０２から電気機器１０１に伝わる力が分散される。また、カバー１０２の動きが規制された後は、カバー１０２が電気機器１０１に対して平行な状態で安定して保持されるようになっている。
【００３７】
ここで、あえてラッチ１２５を第１のラッチストッパー１２９に引っ掛けることによって、開閉カバーを最後まで閉めるのではなく、カバー１０２を少し開いた状態で保持できる。よって、大きくカバー１０２を開いた状態で電気機器１０１の内部の点検やネジの取付け作業を行い、その作業中にカバー１０２が降りてきてユーザ等がけがをするという事態を回避できる。また、カバー１０２は少し開いた状態で保持されるため、ユーザー等は手でカバー１０２を持たなくても電気機器１０１の内部の点検やネジ穴にネジを取付けまたは取外す作業を安全にすることができる。すなわち、第１のラッチストッパー１２９は、ラッチ１２５の保持機能も有している。
【００３８】
以上は、ラッチ１２５を第１のラッチストッパー１２９に引っ掛けてカバー１０２を少し開いた状態に保持する場合であるが、以下、カバー１０２を大きく開いた状態から閉位置までいっきに閉める場合におけるラッチストッパーの働きを図４及び図５を用いて説明する。図４は、上記実施の形態の電気機器のカバーの要部断面図であり、ラッチ１２５が第１のラッチストッパー１２９に接触した直後の状態を示した図である。図５は、この状態でのラッチ１２９とラッチストッパー１２９，１３０の要部の拡大断面図である。
【００３９】
これらの図からわかるように、ラッチ先端部２０１が第１のラッチストッパー１２９に設けられた斜面部２０４に接触している。また、カバー１０２が閉じられる途上において、ラッチ先端部２０１が最初に斜面部２０４に接触するような位置に、突起部１２７および突起部１２８は設けられている。
【００４０】
カバー１０２の閉動作が進行するに従って、ラッチ先端部２０１は斜面部２０４を上部から窪み２０５の方向へ向けて、接触しながら移動する。この際、経路は先端に向けて下降する形状になっているため、ラッチ先端部２０１がなめらかに移動するようになされている。また、この際、ラッチ先端部２０１が斜面２０４から摩擦を受けるため、カバー１０２の閉動作中の動く勢いは弱められる。
【００４１】
カバー１０２の閉動作が図４または図５の状態より進むと、ラッチ先端部２０１が窪み２０５に到達する。この際、窪み２０５は、斜面２０４と突出部２０６との間に設けられ、斜面２０４に沿って進んできたラッチ先端部２０１の進行方向を進んできた勢いを抑制する方向に強制的に変えるような所定の角度をもって窪んでいる。すなわち、降りてきたカバー１０２を再び持上げる方向に進行方向を変えるように形成されている。そのため、ラッチ先端部２０１が斜面２０４に沿って進み窪み２０５を経由して突出部２０６へ向う場合、ラッチ先端部２０１は強制的に進行方向を変えられ且つこの方向はカバー１０２を再び持上げる方向であるので、負荷がかかりラッチ先端部２０１の動く速度は減速する。すなわち、第１のラッチストッパー１２９は、ラッチ１２５の減速機能を有している。第６図は、この状態を示した電気機器１０１の要部断面図である。図７は、この状態での、ラッチ１２５とラッチストッパー１２９，１３０の要部の拡大断面図である。この状態は、図３が示している状態と同じ状態である。
【００４２】
この状態では、ラッチ先端部２０１および窪み２０５はなめらかな形状になされているため、ラッチ先端部２０１はスムーズに減速して進むことになる。
【００４３】
さらに、カバー１０２の閉動作が進行すると、ラッチ先端部２０１が窪み２０５を経由して突出部２０６に乗り上げる。
【００４４】
この状態よりカバー１０２の閉動作が進行すると、ラッチ先端部２０１は突出部２０６を経由し、斜面部２０７にいたる。また、突出部２０６の形状は、窪み２０５により強制的に進行方向を変えられたラッチ先端部２０１を元の進行経路へ戻すような形状になされている。さらに、突出部２０６に続く斜面部２０７は、急な傾斜で形成されているため、ラッチ先端部２０１が突出部２０６を越えると、いっきに第２のラッチストッパー１３０まで進むことになる。このように、斜面部２０７を急な角度で形成したのは、ラッチ先端部２０１が突出部２０６を越えた後に、いっきに第２のラッチストッパー１３０まで到達しなければ、ラッチ先端部２０１が途中でひっかかり、カバー１０２が中途半端な状態で閉ったり、カバー１０２が左右平行に閉らない等の不都合が生ずるからである。
【００４５】
カバー１０２の閉動作が進行すると、ラッチ先端部２０１が第２のラッチストッパー１３０に設けられた斜面部２０８に接触する。この際、斜面部２０７と斜面部２０８との間には所定の角度が形成されることになるが、この場合は、斜面部２０４と突出部２０６との間に形成された所定の角度と異なり、ラッチ先端部２０１を元の経路に戻すように形成されている。すなわち、降りてきたカバー１０２が本来進む方向と同一の方向へ向わせるように形成されている。このため、ここでの角度は負荷とはならず、ラッチ先端部２０１に移動速度はさらに加速し、勢いを増して移動することになる。さらに、カバー１０２の閉動作が進むと、ラッチ先端部２０１は斜面部２０８を離れ、かわりにラッチ１２５に設けられたラッチ側面部２０２が斜面部２０８に面で接触する。図８はこの状態における、電気機器１０１の要部断面図である。図９は、この状態でのラッチ１２５とラッチストッパー１２９，１３０の要部の拡大断面図である。
【００４６】
カバー１０２が閉じられる途上において、ラッチ側面部２０２が第２のラッチストッパー１３０の斜面部２０８に広い面で接することになる。しかし、ラッチ１２５の移動速度がこの段階では十分に加速しているので、ラッチ１２５はいっきに第２のラッチストッパー１３０に設けられた突出部２０９を越えることになる。
【００４７】
さらに、カバー１０２の閉動作が進行してラッチ側面部２０２が突出部２０９を越えると、ラッチ側面部２０２に近接した位置に施された切欠き２０３が突出部２０９に引っ掛る。第１０図は、この状態における、電気機器１０１の要部断面図である。図１１は、この状態でのラッチ１２５とラッチストッパー１２９，１３０の要部の拡大断面図である。
【００４８】
切欠き２０３は、第２のラッチストッパー１２９に設けられた突出部２０９の形状に対応した形状になされている。このため。切欠き２０３は突出部２０９に確実に係止されるようになされている。また、カバー１０２に上方向の力がある程度加わると切欠き２０３が突出部２０９から外れるような形状に切欠き２０３および突出部２０９がなされている。また、ラッチ１２５に設けられた図示しない付勢手段の付勢力でも調節されている。このため、ユーザーは必要に応じてカバー１０２を容易に開けることができる。
【００４９】
このような開閉カバー機構にすることにより、ラッチ１２５を第１のラッチストッパーに引っ掛けることによって、カバー１０２を途中まで閉められた状態で保持することができ、ユーザー等は手でカバー１０２を持たなくても電気機器１０１の内部の点検やネジ穴にネジを取付け作業を安全に行うことができる。一方、カバー１０２を大きく開いて最後までいっきに閉める場合には、カバー１０２は閉じられる途上において、カバー１０２は閉じられる前の状態で第１のラッチストッパー１２９の窪み２０５によってカバー１０２の閉動作中の動く勢いは弱められ一時的に減速し、段階的に閉じられる。これにより、カバー１０２が勢いよく閉じられることが防止され、カバー１０２が閉じられた際に、強い衝撃が生じることが防止される。
【００５０】
また、上記実施例のような形状にラッチ１２５，第１のラッチストッパー１２９および第２のラッチストッパー１３０をすることにより、ひとつのラッチ１２５で第１のラッチストッパー１２９，第２のラッチストッパー１３０の両方に適合することができる。よって、部品点数が増えないため、経済的である。
【００５１】
また、上記実施の形態に、カバー１０２を電気機器１０１に対して開放する方向に付勢する手段を設けることにより、カバー１０２の閉動作中の動く勢いを抑制する効果をさらに高めることができる。
【００５２】
なお、上記実施の形態では電気機器を使用して説明したが、開閉自在に形成されたカバーが設けられた機器であればいかなるものにも使用できる。
【００５３】
【発明の効果】
以上説明したように、本発明によれば、カバーが段階的に閉じられようになされるため、カバーが閉じられる際に、大きな衝撃が生じることを防止できる。
【図面の簡単な説明】
【図１】本発明の実施の形態の電気機器の断面図
【図２】（ａ）  上記実施のラッチの拡大断面図
（ｂ）  上記実施のラッチストッパーの拡大断面図
【図３】上記実施の形態の電気機器の要部斜視図
【図４】上記実施の形態のカバーの閉動作を説明するための電気機器の要部断面図
【図５】上記実施の形態のラッチの動作を説明するためのラッチおよびラッチストッパーの要部の拡大断面図
【図６】上記実施の形態のカバーの閉動作を説明するための電気機器の要部断面図
【図７】上記実施の形態のラッチの動作を説明するためのラッチおよびラッチストッパーの要部の拡大断面図
【図８】上記実施の形態のカバーの閉動作を説明するための電気機器の要部断面図
【図９】上記実施の形態のラッチの動作を説明するためのラッチおよびラッチストッパーの要部の拡大断面図
【図１０】上記実施の形態のカバーの閉動作を説明するための電気機器の要部断面図
【図１１】上記実施の形態のラッチの動作を説明するためのラッチおよびラッチストッパーの要部の拡大断面図
【図１２】従来の電気機器の断面図
【符号の説明】
１０１  電気機器
１０２  カバー
１０３  支持軸
１０４  原稿台
１２５  ラッチ
１２６  支持軸
１２７，１２８  突起部
１２９，１３０  ラッチストッパー
２０１  ラッチ先端部
２０２  ラッチ側面部
２０３  切欠き
２０４，２０７，２０８  斜面部
２０５  窪み
２０６，２０９  突出部
【図１】
0004499845.tif 000002
【図２】
0004499845.tif 000003
【図３】
0004499845.tif 000004
【図４】
0004499845.tif 000005
【図５】
0004499845.tif 000006
【図６】
0004499845.tif 000007
【図７】
0004499845.tif 000008
【図８】
0004499845.tif 000009
【図９】
0004499845.tif 000010
【図１０】
0004499845.tif 000011
【図１１】
0004499845.tif 000012
【図１２】
0004499845.tif 000013